(57)【特許請求の範囲】
【請求項１】
携帯端末から電子メールを送信する際に、固定フォーマットであることを判別する判別コードを付加して送信し、これを受信したメールサーバでは、判別コードにより固定フォーマットのメッセージであると判定した場合、送信者のメールアドレスから、予め登録してある固定フォーマットを検索して読み出し、その固定フォーマット中に指定されている差込部に携帯端末からのメールデータを挿入し、結合された電子メールとして相手先へ送信することを特徴とする、固定フォーマットを使用した電子メール送信方法。
【請求項２】
携帯端末から電子メールを送信する際に、固定フォーマットであることを判別する判別コード及び送信者の識別コードを付加して送信し、これを受信したメールサーバでは、判別コードにより固定フォーマットのメッセージであると判定した場合、予め登録してある固定フォーマットを前記識別コードから検索して読み出し、その固定フォーマット中に指定されている差込部に携帯端末からのメールデータを挿入し、結合された電子メールとして相手先へ送信することを特徴とする、固定フォーマットを使用した電子メール送信方法。
【請求項３】
固定フォーマットであることを判別する判別コードの次に付加されている送信者の識別コードの有無をメールサーバにおいて判別し、これが無い場合には、送信者に対しエラーの通知処理をすることを特徴とする、請求項２に記載の固定フォーマットを使用した電子メール送信方法。
【請求項４】
固定フォーマットを予め登録した固定フォーマット格納部と、携帯端末から送信されてきた電子メールに固定フォーマット判別コードが付加されているか否か判別するコード判別部と、付加されていた場合、前記固定フォーマット格納部に登録してある固定フォーマットを、送信者のメールアドレスより検索して読み出し、その固定フォーマット中に指定されている差込部に携帯端末からのメールデータを挿入し、結合された電子メールとして送信部へ送る結合部とを備えたことを特徴とするメールサーバ。
【請求項５】
固定フォーマットを予め登録した固定フォーマット格納部と、携帯端末から送信されてきた電子メールに固定フォーマット判別コードが付加されているか否か判別するコード判別部と、付加されていた場合、前記固定フォーマット格納部に登録してある固定フォーマットを、受信した電子メールに付加してある送信者の識別コードから検索して読み出し、その固定フォーマット中に指定されている差込部に携帯端末からのメールデータを挿入し、結合された電子メールとして送信部へ送る結合部とを備えたことを特徴とするメールサーバ。
【請求項６】
コード判別部は、固定フォーマット判別コードの次に付加されている送信者の識別コードの有無を判別し、これが無い場合には、送信者に対しエラーの通知処理をすることを特徴とする、請求項５に記載のメールサーバ。
【発明の詳細な説明】
【０００１】
【発明の属する技術分野】
本発明は、電子メール送信方法及びメールサーバに関する。
【０００２】
【従来の技術】
携帯端末における電子メールの送信において、文章の長さは通信時間やデータの通信料に比例する。従って、長い文章を送る場合、データ量が増加し、通信料金が多くなってしまう。
【０００３】
【発明が解決しようとする課題】
ところで、図１のような決まったフォーマットの電子メールを送信する場合、“の天気”や“札幌”などは毎回同じ情報であり、“晴れ”や“雨”などの情報だけが更新される。この場合、毎回更新される情報だけを抜き出してメールを送信すれば、データ量を減らし通信料金を削減することができる。しかし、“晴れ”や“雨”だけでは、文章として成り立た無いので、図２のような固定のフォーマットを基地局のメールサーバに登録しておき、更新される情報である“晴れ”や“雨”をメールサーバにおいて、予め登録してある文章中の“＊”で指定された差込部に挿入すれば、相手先に目的とする電子メールを送信でき、携帯端末からメールサーバまでのデータ量を減らして、通信料金を削減することができる。
【０００４】
本発明は、このことに着眼し、電子メール送信時のデータ量を減らし、通信料金を削減することができるようにしたものである。また、メールサーバにて文章の結合を行うため、受信側の端末に仕様の変更等の負担をかけることなく利用できる。
【０００５】
【課題を解決するための手段】
すなわち、本発明の電子メール送信方法は、携帯端末から電子メールを送信する際に、固定フォーマットであることを判別する判別コードを付加して送信し、これを受信したメールサーバでは、判別コードにより固定フォーマットのメッセージであると判定した場合、送信者のメールアドレスから、予め登録してある固定フォーマットを検索して読み出し、その固定フォーマット中に指定されている差込部に携帯端末からのメールデータを挿入し、結合された電子メールとして相手先へ送信することを特徴とする。
【０００６】
携帯端末から電子メールを送信する際に、固定フォーマットであることを判別する判別コードの他に送信者の識別コードも付加して送信し、メールサーバにおいて、予め登録してある固定フォーマットを識別コードから検索して読み出すようにしてもよい。
【０００７】
この場合、固定フォーマットであることを判別する判別コードの次に付加されている送信者の識別コードの有無をメールサーバにおいて判別し、これが無い場合には、送信者に対しエラーの通知処理をすると、サービス未登録として、メール送信者に送信ＮＧを通知することができる。
【０００８】
本発明によるメールサーバは、固定フォーマットを予め登録した固定フォーマット格納部と、携帯端末から送信されてきた電子メールに固定フォーマット判別コードが付加されているか否か判別するコード判別部と、付加されていた場合、固定フォーマット格納部に登録してある固定フォーマットを、送信者のメールアドレス又は受信した電子メールに付加してある送信者の識別コードから検索して読み出し、その固定フォーマット中に指定されている差込部に携帯端末からのメールデータを挿入し、結合された電子メールとして送信部へ送る結合部とを備えたことを特徴とする。
【０００９】
コード判別部は、固定フォーマット判別コードの次に付加されている送信者の識別コードの有無を判別し、これが無い場合には、送信者に対しエラーの通知処理をする。
【００１０】
【発明の実施の形態】
次に、本発明の実施の形態を図面に基づいて詳細に説明する。
【００１１】
図３は本発明の第１実施例のブロック図である。
携帯端末から送られてきたメールは、アンテナ１０１で受信され、無線受信部１０２にて復調され、コード判定部１０３に送られる。
【００１２】
コード判定部１０３では、メッセージの先頭に付加されている、固定フォーマット利用の判別コードを認識して、通常のメッセージと判定した場合は、送信待ちメモリ１０６にデータを送る。固定フォーマットのメッセージとして判定した場合は、結合部１０４にデータを送る。
【００１３】
結合部１０４では、送信者のアドレスから、固定フォーマット格納部１０５中の固定フォーマットを検索して読み出し、その読み出した固定フォーマットの“＊”で指定された差込部に、受信したメッセージを挿入する。
【００１４】
結合が終了したメッセージは、送信待ちメモリ１０６に格納される。
送信待ちメモリ１０６に格納されたメッセージは、無線送信部１０８で復調され、アンテナ１０９から送信される。
【００１５】
図４は、第１実施例のフローチャートである。
ステップ２０１で、携帯端末から送られてきたメールを受信する。
ステップ２０２では、メッセージの先頭に付加されている、固定フォーマット利用の判別コードの判定を行い、コードが無ければ、通常のメッセージとしてステップ２０５へ進む。コードがある場合、固定フォーマットのメッセージとしてステップ２０３へ進む。
【００１６】
ステップ２０３では、メッセージ送信者のアドレスから登録されている固定フォーマットを検索し、固定フォーマットが無い場合は、通常のメッセージとしてステップ２０６へ進む。固定フォーマットが登録されている場合、ステップ２０４へ進む。
【００１７】
ステップ２０４では、登録されている固定フォーマットの“＊”で指定された差込部に、受信したメッセージを挿入し、１つの文章に結合した後に、ステップ２０５へ進む。
ステップ２０５では、送信待ちのメッセージとしてメモリに格納する。
ステップ２０６でメールを送信する。
【００１８】
上述した第１実施例では、固定メッセージの登録の判定を、送信者のアドレスで判定したが、この場合、送信する端末を変えた場合やアドレスを変更した場合にサービスを利用できなくなってしまう。この対策として、第２実施例では、固定メッセージの登録をＩＤ制に変更し、アドレスが変更になってもサービスを利用できるようにする。
【００１９】
第２実施例を図５のフローチャートを使用して解説する。
ステップ３０１で、携帯端末から送られてきたメールを受信する。
ステップ３０２では、メッセージの先頭に付加されている、固定フォーマット利用の判別コードの判定を行い、コードが無ければ、通常のメッセージとしてステップ３０５へ進む。コードがある場合、固定フォーマットのメッセージとしてステップ３０３へ進む。
【００２０】
ステップ３０３では、判別コードの次に付加されている、メッセージ送信者の登録ＩＤの判定を行い、本サービスに登録しているか判定し、登録していない場合は、ステップ３０８へ進む。登録されている場合は、ステップ３０４へ進む。
【００２１】
ステップ３０４では、送信者のＩＤから、登録されている固定フォーマットを検索し、固定フォーマットが無い場合は、通常のメッセージとしてステップ３０６へ進む。固定フォーマットが登録されている場合、ステップ３０５へ進む。
【００２２】
ステップ３０５では、読み出された固定フォーマットの“＊”で指定された差込部に、受信したメッセージを挿入し、１つの文章に結合した後に、ステップ３０６へ進む。
【００２３】
ステップ３０６で、送信待ちのメッセージとしてメモリに格納する。
ステップ３０７でメールを送信する。
ステップ３０８では、サービス未登録として、メール送信者に送信ＮＧを通知する。
【００２４】
【発明の効果】
本発明によれば、携帯端末からメールサーバまでのデータ量を減らし、通信料金を削減することができる。また、メールサーバにて文章の結合を行う処理を追加する必要があるが、携帯端末をの仕様を変更する必要が無いため、利用者に負担をかけることなく新規にサービスを行うことができる。さらに、メールサーバに予め登録してある固定フォーマットを、送信者のメールアドレス又は識別コードによって検索するので、本サービスを受けられる利用者及び固定フォーマットの内容を、送信者のメールアドレス又は識別コードによって分けることができる。
【図面の簡単な説明】
【図１】一部の情報が毎回決まっている電子メールの例を示す図である。
【図２】本発明の概念の解説図である。
【図３】本発明によるメールサーバの構成を示すブロック図である。
【図４】本発明の第１実施例の方法を説明するフローチャートである。
【図５】第２実施例の方法を説明するフローチャートである。
【符号の説明】
１０１  アンテナ
１０２  無線受信部
１０３  コード判定部
１０４  結合部
１０５  固定フォーマット格納部
１０６  送信待ちメモリ
１０７  無線送信部
１０８  アンテナ
【図１】
0003597128.tif 000002
【図２】
0003597128.tif 000003
【図３】
0003597128.tif 000004
【図４】
0003597128.tif 000005
【図５】
0003597128.tif 000006